【事件の表示】
　平成１０年特許願第５２５５４２号「使い捨てプル−オン衣類」拒絶査定不服審判事件〔平成１０年１２月　３日国際公開、ＷＯ９８／５３７８０、平成１２年　３月１４日国内公表、特表２０００−５０２９４１〕について、次のとおり審決する。
【結　論】
　本件審判の請求は、成り立たない。
【理　由】
Ｉ．手続の経緯
　本願は、平成９年５月３０日の国際出願であって、平成１４年２月２６日に拒絶査定がなされ、これに対して平成１４年５月２７日に拒絶査定に対する審判請求がなされ、平成１５年５月２９日付けで当審により拒絶理由通知がなされ、平成１５年１１月２８日付けで意見書と共に手続補正書が提出されたものである。
　
II.本願発明
　本願の請求項１に係る発明（以下、同項記載の発明を、「本願発明」という）は、明細書の特許請求の範囲の請求項１に記載された事項により特定される、以下のとおりのものである。
　
「使い捨てプル−オン衣類であって、
　前部、後部、及び前部と後部の間の股部を有していて、液体浸透性のトップシート、トップシートと結合された液体不浸透性のバックシート、及びトップシートとバックシート間に置かれる吸収芯を備えているシャシーと、
　シャシーの前部においてシャシーの各々のサイドから横に外向きに伸びる前部サイドパネルと、
　シャシーの後部においてシャシーの各々のサイドから横に外向きに伸びる後部サイドパネルと、
　前部と後部の各々のサイドパネルから横に外向きに伸びるシームパネルと、
　対応するシームパネルを重なった態様で接合し、２つの脚開口部と腰開口部を形成する各継ぎ目と、及び、
　前部サイドパネルと後部サイドパネルの少なくとも一方に接合され、便利な処分を提供する構成に使い捨てプル−オン衣類を固定する処分手段と、
　を備えていて、
　処分手段は処分のために、バックシートと共に機械的ファスナーシステムを構成する機械的固定要素を備えており、
　シームパネルから横方向外側に伸びる引き裂き開放タブを備えていて、処分手段が引き裂き開放タブに接合されており、
　引き裂き開放タブは、外面と内面を有し、処分手段が引き裂き開放タブの内面に接合されている、
　使い捨てプル−オン衣類。」
　
III.引用例の記載事項
　これに対して、当審の拒絶の理由で引用した、実願平３−２７９１９号（実開平４−１１７６１８号）のマイクロフィルム（以下「引用例」という）には、次の記載事項１〜３が図面とともに記載されている。
　
記載事項１．（４ページ【０００１】〜【０００４】段落）
　「この考案はコンパクトに丸めて廃棄することに都合のよい使い捨てのブリーフ型着用物品に関する。該物品には使い捨ておむつ及び使い捨てトレニングパンツが含まれる。
　・・・中略・・・
　そこで、この考案はブリーフ型着用物品の腰周り側部に粘着剤塗布部を設け、この着用物品を丸めておくことを可能とすることにより前記問題を解決しようとするものである。」
　
記載事項２．（５ページ【００１１】〜６ページ【００１２】段落）
　「図１はこの考案に係る使い捨てのブリーフ１を示し、（Ａ）はその正面図、（Ｂ）はその側面を見た斜視図である。ブリーフ１は、熱可塑性繊維を含む不織布製のシート材料を股下区域２において、二つ折りにし腹側シート部材３、背側シート部材４となし、腰周り両側で両部材が間欠的なヒートシール線５により接合してある。ブリーフ１はその他に腰周り開口部６、一対の脚周り開口部７を有し、図示はしていないが各開口部周縁には通常弾性部材が配置してあり、ギャザーが形成されている。ヒートシール線５の外側には、腹側シート部材、背側シート部材３，４の自由端部８，９が位置している。各自由端部８，９には半円形の摘持部１０，１１が設けてある。背側シート部材４からなる摘持部１１において、摘持部１０と対向する面には粘着剤１２が塗布してある。
　上記構成のブリーフ１は、これを着用しているときに摘持部１０，１１を摘み、互いに離反する方向に引張ることでヒートシール線５に沿って切り開くことができる。・・・後略」
　
記載事項３．（７ページ【００１６】段落）
　「ブリーフ１は上述のようなものであるから、接合線５を接着、縫合等の手段により設けることもできる。また、シート部材３，４は、これを複数枚のシートを重ねて構成し、それらシート間に吸収性のパッドを介在させることにより、ブリーフ１を使い捨ておむつ、トレニングパンツとして使用することができる。」
　
　記載事項３には、ブリーフ１のシート部材を、間に吸収性のパッドを介在させて重ねた複数枚のシートで構成し、ブリーフ１を使い捨ておむつとすることができる旨記載されているので、引用例には、ブリーフ型（プル−オンタイプ）の使い捨ておむつが記載されている。
　記載事項２によると、このブリーフ（使い捨ておむつ）１は、腹側シート部材３と背側シート部材４の両側を切り開き自在にヒートシール線５で接合したもので、接合部外側のシート部材自由端部８，９には、切り開きのための摘持部１０，１１が設けられ、摘持部１１には、摘持部１０と対向する面、すなわち内側に、さらに粘着剤１２が設けられている。
　そして、記載事項１によると、摘持部に設けた粘着剤１２は、処分手段として、廃棄にあたり、ブリーフ１を、接合部で切り離した後丸めた時、丸めた形状を維持するために用いられる（６ページ【００１３】段落参照）。
　
IV．対比
　そこで、本願発明と、上記引用例に記載されたものとを対比する。
　引用例に記載されたブリーフ１は、プル−オンタイプの使い捨てオムツであるから、本願発明の「使い捨てプル−オン衣類」に相当する。
　そして、引用例記載のブリーフ１は、シート材料を股下区域２において、二つ折りにして腹側シート部材３、背側シート部材４となし、腰周り両側で両部材が間欠的なヒートシール線５により接合したものであり、図を参酌すると、腹側シート部材３と背側シート部材４とは、股下区域２より横方向の幅が広くされており、その横方向両側部で突き合わせた状態でヒートシール線５で接合され、腰周り開口部６と、一対の脚周り開口部７とが形成されているので、この構成は、本願発明の、「シャシーと、シャシーの前部においてシャシーの各々のサイドから横に外向きに伸びる前部サイドパネルと、シャシーの後部においてシャシーの各々のサイドから横に外向きに伸びる後部サイドパネルと、前部と後部の各々のサイドパネルから横に外向きに伸びるシームパネルと、対応するシームパネルを接合し、２つの脚開口部と腰開口部を形成する各継ぎ目」とからなる構成に相当する。
　また、引用例に記載されたブリーフ１の、接合部外側のシート部材自由端部８，９に設けられた、切り開きのための摘持部１１には、その内側に、処分のためにブリーフ１を丸めて固定するための粘着剤１２が設けられているので、この構成は、本願発明の、「前部サイドパネルと後部サイドパネルの少なくとも一方に接合され、便利な処分を提供する構成に使い捨てプル−オン衣類を固定する処分手段と、を備えていて、処分手段は処分のために、固定要素を備えており、シームパネルから横方向外側に伸びる引き裂き開放タブを備えていて、処分手段が引き裂き開放タブに接合されており、引き裂き開放タブは、外面と内面を有し、処分手段が引き裂き開放タブの内面に接合されている」構成に相当する。
　
　そこで、本願発明の用語を用いて対比すると、両者は次の点で一致する。
（一致点）
　「使い捨てプル−オン衣類であって、
　前部、後部、及び前部と後部の間の股部を有していて、シャシーと、
　シャシーの前部においてシャシーの各々のサイドから横に外向きに伸びる前部サイドパネルと、
　シャシーの後部においてシャシーの各々のサイドから横に外向きに伸びる後部サイドパネルと、
　前部と後部の各々のサイドパネルから横に外向きに伸びるシームパネルと、
　対応するシームパネルを接合し、２つの脚開口部と腰開口部を形成する各継ぎ目と、及び、
　前部サイドパネルと後部サイドパネルの少なくとも一方に接合され、便利な処分を提供する構成に使い捨てプル−オン衣類を固定する処分手段と、
　を備えていて、
　処分手段は処分のために、固定要素を備えており、
　シームパネルから横方向外側に伸びる引き裂き開放タブを備えていて、処分手段が引き裂き開放タブに接合されており、
　引き裂き開放タブは、外面と内面を有し、処分手段が引き裂き開放タブの内面に接合されている、
　使い捨てプル−オン衣類。」
　
　そして、両者は次の点１〜３で相違する（対応する引用例記載の用語を（　）内に示す）。
（相違点１）
　本願発明のシャシーは、液体浸透性のトップシート、トップシートと結合された液体不浸透性のバックシート、及びトップシートとバックシート間に置かれる吸収芯を備えているのに対し、引用例に記載されたシート部材は、重ねた複数枚のシートと、その間に介在した吸収性のパッドとを備えているが、シートの液体浸透性については明示されていない点。
　
（相違点２）
　本願発明のシームパネルは、重なった態様で接合しているのに対し、引用例に記載された腹側シート部材３、背側シート部材４の両側部は、突き合わせた態様で接合している点。
　
（相違点３）
　本願発明の処分手段は、バックシートと共に機械的ファスナーシステムを構成する機械的固定要素を引き裂き解放タブの内面に備えているのに対し、引用例に記載された処分手段は、バックシート（シート部材）に固着可能な粘着剤１２を引き裂き解放タブ（摘持部１１）の内面に備えている点
　
Ｖ．相違点の判断
　上記相違点について検討する。
（相違点１について）
　一般に使い捨てオムツにおいて、トップシートを液体浸透性となし、バックシートを液体不浸透性となすことは、当然の設計的事項にすぎないので、引用例記載の重なった複数枚のシートのうち、トップシートにあたるものを液体浸透性とし、バックシートにあたるものを液体不浸透性とすることは、当業者が適宜なし得た事項にすぎない。
　
（相違点２について）
　プル−オンタイプの使い捨てオムツにおいて、シームパネルを重なった態様で接合したものは、例えば、当審拒絶理由で引用した、引用例２〜４である、特開昭６１−２０７６０５号公報、米国特許第５５６９２３４号明細書、及び特表平１−５０３４７３号公報に、それぞれ示すように周知であるので、引用例記載のブリーフの接合部を、重なった態様で接合するものとすることは、当業者が適宜なし得た事項である。
　
（相違点３について）
　使い捨てオムツに設ける止着手段として、一般に、粘着剤等の接着手段によるものと、機械的固定要素によるものとが、本願の出願前にともに周知の事項である。
　また、機械的固定要素により止着する場合は、雄雌一対の機械的固定要素を用いる必要があることも、同様に周知の事項である。
　機械的固定要素による止着手段の周知例としては、当審の拒絶理由で引用した、引用例５及び６である、実願平５−４２４０号（実開平６−６１２２７号）のＣＤ−ＲＯＭ、特開平５−３１７３５６号公報に、それぞれ示すものの他にも、例えば、実願昭６３−６３８６９号（実願平１−１６８５１０号）のマイクロフィルム、特開平１−１５６５０２号公報、特開平８−５２１７６号公報、特開平９−１０３４４７号公報を挙げることができる。
　そこで、引用例記載のものにおいて、止着手段として、接着手段に代えて機械的固定要素を採用しようとすることは当業者が容易に想到し得たことである。そして、機械的固定要素は雄雌一対の要素によりはじめて固定作用を奏するものであることは、上述のように周知であるから、処分手段として機械的固定要素の一方を適用するとともに、バックシートの少なくとも止着予定個所に、対になる固定要素の他方を設け、処分手段の機械的固定要素がバックシートと共に機械的ファスナーシステムを構成するようにし、相違点に係る本願発明の事項のようにすることは、機械的固定要素を採用するにあたり、当業者が当然考慮し得たことにすぎない。
　なお、請求人は、意見書で、機械的固定手段をオムツの処分の目的で用いることは周知でないので、引用例記載の粘着剤を、機械的固定手段に置換することの動機付けは成立しない旨主張しているが、機械的固定手段をオムツの処分のために用いることは、例えば、上記特開平１−１５６５０２号公報や、特開平９−１０３４４７号公報にそれぞれ示すように周知の事項であるとともに、接着手段に代えて機械的固定要素を採用することを阻害するような事情も見出せないので、請求人の主張は採用できない。
　
VI.むすび
　以上のとおり、本願発明は、引用例に記載された発明及び周知の事項に基づいて当業者が容易に発明をすることができたものであるから、特許法第２９条第２項の規定により、特許を受けることができない。
　よって、結論のとおり審決する。